(57)【要約】【課題】  塗布部材を取着した取付キャップを、一定範囲で廻動することによって、中栓と塗布部材との間の流路を開閉するとともに、取付キャップをさらに廻動することによって、塗布部材を取外すようにした液塗布用具を提供すること。【解決手段】  容器と、中栓と、塗布部材とを具えた液塗布用具であって、容器の口部は、ねじが螺設された口筒部を具備しており、中栓は、容器の口部に嵌着される側周壁と、底壁とを具え、容器内部に連通する流通孔を具備しており、塗布部材は、中栓の流通孔を開閉する注出筒と、注出筒を嵌挿し塗布具を立設した塗布具保持体と、取付キャップとを具備しており、取付キャップは、口筒部のねじに螺合するねじを具備していることを特徴とする。【選択図】  図１
2005067627.tif 000002
【特許請求の範囲】
【請求項１】
容器と、中栓と、塗布部材とを具えた液塗布用具であって、
容器の口部は、ねじが螺設された口筒部を具備しており、
中栓は、容器の口部に嵌着される側周壁と、底壁とを具え、容器内部に連通する流通孔を具備しており、
塗布部材は、中栓の流通孔を開閉する注出筒と、注出筒を嵌挿し塗布具を立設した塗布具保持体と、取付キャップとを具備しており、
取付キャップは、口筒部のねじに螺合するねじを具備していることを特徴とする液塗布用具。
【請求項２】
容器の口部の上端部に係止環が突設され、取付キャップの内面に該係止環と係合する膨出環を具備し、口部の係止環によって取付キャップの上昇位置が規制されており、取付キャップのさらなる廻動により、該係止環を乗り越え可能としたことを特徴とする請求項１記載の液塗布用具。
【請求項３】
塗布具が、刷毛または多孔性塗布具であることを特徴とする請求項１、２記載の液塗布用具。
【請求項４】
中栓の流通孔が、側周壁と底壁のいずれか一方、または双方に、或いは側周壁と底壁の双方にまたがって穿孔されていることを特徴とする請求項１〜３記載の液塗布用具。
【発明の詳細な説明】
【技術分野】
【０００１】
本発明は、液塗布用具、とくに容器中の内容物を塗布するため、塗布部材を容器口部に取着した化粧料、薬品等の液塗布用具に関するものである。
【背景技術】
【０００２】
チューブ容器の口部にブラシで形成した塗布部材を取着した液塗布用具は、従来より知られている（特許文献１参照）。
また、容器口部に弁孔を具えた中栓を嵌着し、下端に弁体を設け、上部に多孔性塗布部材を保持させた可働部材をばねを介して中栓に支承させ、可動部材に係合するキャップを容器口部外周に螺着した液塗布容器も、従来より周知となっている（特許文献２参照）。
【特許文献１】実開平２−５０２２６号公報
【特許文献２】実開昭５１−１５９６６５号公報
【発明の開示】
【発明が解決しようとする課題】
【０００３】
上記特許文献１記載の従来技術は、容器を押圧することによって内容物を注出しながらブラシを塗布するようにしているが、塗布に使用しないときは、塗布ブラシにオーバーキャップを被せておく程度であるから、誤って容器を押圧すると、内容物がオーバーキャップ内に注出して溜まったり、オーバーキャップを押上げ内容物が注出するという問題があった。
【０００４】
また、特許文献２記載の従来技術は、キャップを開閉して、中栓と塗布部材との間の流路を連通、遮断するようにしているが、キャップを開いたまま放置しておくと、内容物によっては、揮発成分が蒸発して、内容物が固化するという問題があった。
また、誤って容器を押さえると、内容物が簡単に注出されるというおそれがあった。
【０００５】
また、中栓より可動部材の抜出を防止するようにしているので、塗布部材を簡単に取外すことができず、塗布部材の汚れや固化した液を、水や洗浄液を使って洗うことができなかった。
さらにまた、弁体の周縁にばねを配設するので、小型の容器に適用するのが困難であった。
【０００６】
本発明は、上記の問題を解決することを課題として、塗布部材を取着した取付キャップを、一定範囲で廻動することによって、中栓と塗布部材との間の流路を開閉するとともに、取付キャップをさらに廻動することによって、塗布部材を取外すようにした液塗布用具を提供することを目的とする。
【課題を解決するための手段】
【０００７】
本発明は、上記の課題を解決するため、液塗布用具として、容器と、中栓と、塗布部材とを具えた液塗布用具であって、容器の口部は、ねじが螺設された口筒部を具備しており、中栓は、容器の口部に嵌着される側周壁と、底壁とを具え、容器内部に連通する流通孔を具備しており、塗布部材は、中栓の流通孔を開閉する注出筒と、注出筒を嵌挿し塗布具を立設した塗布具保持体と、取付キャップとを具備しており、取付キャップは、口筒部のねじに螺合するねじを具備していることを特徴とする構成を採用する。
【０００８】
液塗布用具の実施例として、容器の口部の上端部に係止環が突設され、取付キャップの内面に該係止環と係合する膨出環を具備し、口部の係止環によって取付キャップの上昇位置が規制されており、取付キャップのさらなる廻動により、該係止環を乗り越え可能としたことを特徴とする構成を採用する。
【０００９】
塗布部材の実施例として、塗布具が、刷毛または多孔性塗布具であることを特徴とする構成を採用する。
【００１０】
中栓の流通孔の実施態様として、中栓の流通孔が、側周壁と底壁のいずれか一方、または双方に、或いは側周壁と底壁の双方にまたがって穿孔されていることを特徴とする構成を採用する。
【発明の効果】
【００１１】
本発明は、上記のように構成されているから、次の効果を奏する。
中栓に流通孔を穿孔し、塗布部材に該流通孔を開閉する注出筒を設けるようにしたから、取付キャップを一定範囲で廻動させ、中栓と塗布部材との間の流路を開閉できるようになった。
また、さらに取付キャップを廻動させることによって、塗布部材を取外すことができ、取外した塗布部材を洗浄することができるようになった。
【発明を実施するための最良の形態】
【００１２】
次に、本発明の実施形態について、図面を参照して説明する。
図１において、Ａは容器、Ｂは中栓、Ｃは塗布部材、Ｄはカバーキャップである。
【００１３】
図１，２に示すように、容器Ａは、チューブ容器であって、口部１と押圧変形可能な胴部２とからなっている。
口部１は、頂壁３と口筒部４とを具えており，頂壁３は、中央に開口５を設けた段部６が設けられている。
口筒部４は、上端を外方に突出して係止環７とし、その下方に、上部縮径部８とねじ９を螺設したねじ部が設けられている。
【００１４】
図３に示すように、中栓Ｂは、上端にフランジ１０を設けた側周壁１１と底壁１２とを具えている。
側周壁１１のフランジ１０下方には、開口５の下端縁に係合する係止環１３が設けられており、その下方には、等間隔をおいて、複数の流通孔１４が穿設されている。
底壁１２には、側周壁１１の内側に係止リング１５が立設されている。
【００１５】
図１に示すように、塗布部材Ｃは、注出筒２０と刷毛保持体２１と取付キャップ２２とからなっている。
図４に示すように、注出筒２０は、注出孔２３を穿孔した筒体２４と、その中間部に突設されたフランジ２５とからなっている。
筒体２４の下端は、中栓Ｂの側周壁１１の下部と、係止リング１５の間に嵌挿されるようになっており、フランジ２５の周縁には突出環２６が突設され、下面には膨出環２７が設けられている。
【００１６】
図５に示すように、刷毛保持体２１は、刷毛保持部２８と、刷毛保持部２８の周縁に沿って垂設された注出筒保持部２９とからなっている。
刷毛保持部２８の中央には、注出筒２０を嵌挿する挿入孔３０が穿設され、その周囲の上面には、複数の刷毛保持孔３１が穿設され、該刷毛保持孔３１には、刷毛３２が植設されている。
【００１７】
上記刷毛３２は、本発明の塗布具を、前記刷毛保持体２１は、塗布具保持体を構成するものである。
【００１８】
注出筒保持部２９の内周下端には、フランジ２５周縁の突出環２６に係合する膨出環３３が設けられ、外周下端は、突出環３４となっている。
【００１９】
図６に示すように、取付キャップ２２は、上壁３５を設けた上部側周壁３６と、該上部側周壁３６と段部３７を介して連設された下部側周壁３８とを具えている。
上壁３５には、刷毛３２を収束するため、下端を円形、上端を楕円形として、下端より面積を狭くした刷毛収束筒３９が、上壁３５内周縁に沿って立設されている。
【００２０】
上部側周壁３６の内周下端には、膨出環４０が設けられ、外周下端部の所定位置には、外方に突出する突出環４１が設けられている。
下部側周壁３８の内面は、上部の縮径部４２と、下部のねじ筒部４３とからなり、縮径部４２の内筒下端には、上昇時に口筒部４の係止環７と係合する膨出環４４が設けられ、ねじ筒部４３内周には、ねじ４５が螺設されている。
【００２１】
図１に示すように、カバーキャップＤは、頂壁５０と側周壁５１とからなり、側周壁５１の下部には、下端が取付キャップＣの段部３７に当接したときに、突出環４１と結合する膨出環５２が設けられている。
【００２２】
次に、本液塗布容器の組立について説明する。
まず、塗布部材Ｃの組立は、刷毛３２を植設した刷毛保持体２１に注出筒２０を嵌挿して、注出筒保持部２９下面をフランジ２５の上面に当接させ、注出筒保持部２９内周下面の膨出環３３をフランジ２５周縁の突出環２６下端縁に係合させて、注出筒２０と刷毛保持体２１を結合する。
【００２３】
次いで、刷毛保持体２１を下方から取付キャップ２２に嵌挿し、刷毛３２を刷毛収束筒３９で収束して一定の形状としつつ上昇させ、刷毛保持体２１の下端の突出環３４を上部側周壁３６の膨出環４０を乗り越え上昇させると、膨出環４０が突出環３４の下側に係合して、図７に示すように、注出筒２０、刷毛保持体２１と、取付キャップ２２とが一体化する。
【００２４】
塗布部材Ｃの容器Ａへの取付けにあたって、取付キャップ２２を廻動して口筒部４に螺合させていくと取付キャップ２２は下降し、膨出環４４が、係止環７と係合してクリック作用を与え、さらに廻動すると、係止環７を乗り越えて下降し、取付キャップ２２が最下降位置に達すると、注出筒２０の下端が中栓Ｂの底壁１２に当接し、注出筒２０の筒体２４が流通孔１４を閉鎖し、注出孔２３が塞がれることになる。
【００２５】
次に、本液塗布用具の使用態様と作用効果について説明する。
上記実施形態では、内容物として、リップクリーム、口紅、その他の化粧料、薬品等が容器内に収納され、化粧料、薬品等の塗布用具として用いられている。
【００２６】
使用にあたっては、図８に示すように、カバーキャップＤを取外し、取付キャップ２２を上昇させるように廻動させると、取付キャップ２２内周の膨出環４４が口部１から突出した係止環７に係合して、上昇が阻止され、クリック感を手に与える。
そのときには、塗布部材Ｃの注出筒２０が上昇し、中栓Ｂの側周壁１１の流通孔１４が開口され、容器Ａ内部と注出筒２０の注出孔２３が連通されて、胴部２を押圧すると、内容液を刷毛３２に注出することができる。
【００２７】
刷毛３２を所望する被塗布面に押し当て、動かしていくと、所望する塗布範囲に塗布することができる。
塗布が終わったときには、取付キャップ２２を閉じると、中栓Ｂの流通孔１４が閉じられ、誤って容器胴部２を押圧しても、内容液が流出することもない。
【００２８】
塗布部材Ｃが汚れた場合には、取付キャップ２２を膨出環４４が容器口部１の係止環７に当接するまで上昇させ、さらに廻動させると、膨出環４４が係止環７を乗り越えて上昇し、取付キャップ２２の螺合を解き、塗布部材Ｃを容器Ａから取外すことができる。
【００２９】
取外した塗布部材Ｃは、水洗い、或いは洗浄液につけて洗ったりして、刷毛に付着したゴミ、塵埃、或いは無用な液を取り去ることができる。
【００３０】
次に、中栓と注出筒に係る三つの変形実施例について、図面を参照して説明する。
【実施例１】
【００３１】
まず、第１実施例について説明すると、図９において、Ｂａは中栓、２０ａは注出筒である。
中栓Ｂａは、側周壁１１ａと底壁１２ａとを具えており、底壁１２ａには、流通孔として弁孔６０が穿孔されている。
【００３２】
注出筒２０ａの筒体２４ａの下端には、弁体６１が配設され、弁体６１から一定の高さまで複数の流通路６２が設けられ、流通路６２を区分する枠体６３は、弁体６１の支持桿を形成している。
【００３３】
内容物の注出にあたっては、塗布部材の上昇とともに、注出筒２０ａ下端の弁体６１が上昇して弁孔６０が開かれ、内容物は、弁孔６０から注出筒２０ａの弁体６１の周縁から流通路６２を通じ、注出孔２３ａに流入し、注出筒２０ａ上端から刷毛に注出される。
【実施例２】
【００３４】
次に、第２実施例について説明すると、図１０において、Ｂｂは中栓、２０ｂは注出筒である。
中栓Ｂａは、側周壁１１ｂと底壁１２ｂとを具えており、側周壁１１ｂの下端近くから底壁１２ｂの周縁部にかけて、流通孔６５が設けられている。  
【００３５】
注出筒２０ｂの筒体２４ｂ下端には、注出孔２３ｂ内に延びる突出環６６が設けられており、該突出環６６は、底壁１２ｂの流通孔６５部分を完全に塞ぐことができるようになっている。
内容物の注出時には、注出筒２０ｂの上昇により、流通孔６５が開かれ、内容物は、流通孔６５を通じて、注出孔２３ｂ内に流入し、注出筒２０ｂ上端から刷毛に注出することができる。
【実施例３】
【００３６】
次に、第３実施例について説明する。
図１１において、Ｂｃは中栓、２０ｃは注出筒である。
中栓Ｂｃは、側周壁１１ｃと底壁１２ｃとからなり、側周壁１１ｃには、大径の流通孔６７ａが穿孔され、底壁１２ｃには、小径の流通孔６７ｂが穿孔されている。
注出筒２０ｃの筒体２４ｃ下端には、前実施例と同様に、注出孔２３ｃ内に延びる突出環６８が設けられており、筒体２４ｃで流通孔６７ａを塞ぎ、突出環６８で底壁１２ｃの流通孔６７ｂを塞ぐようになっている。
【００３７】
内容物の注出時には、注出筒２０ｃの上昇により、流通孔６７ａ、６７ｂが開かれ、内容物は流通孔６７ａ、６７ｂを通じて、注出孔２３ｃ内に流入し、注出筒２０ｃ上端から刷毛に注出することができる。
【実施例４】
【００３８】
次に、塗布具に関する実施例について説明する。
本実施例は、塗布具として刷毛に変え、スポンジ、またはフエルトなど多孔性塗布具を用いたものである。
その実施例について、以下説明する。
図１２において、Ｃａは塗布部材、７０は注出筒、７１は塗布具保持体、７２は合成樹脂、または合成ゴム等で形成されたスポンジ、或いはフェルトから形成された塗布具、７３は取付キャップである。
【００３９】
塗布具７２が刷毛を用いた実施形態と異なるが、注出筒７０を始め、その他のものは、実施形態のものとほぼ同等である。
内容物の注出にあたっては、前記実施形態の塗布用具と同様の作用効果を得ることができる。
【００４０】
前記実施形態では、容器としてチューブ容器を採用しているが、普通のスクイズ容器、その他のものであってもよい。
【産業上の利用可能性】
【００４１】
本発明は内容物として、リップクリーム、口紅、その他の化粧料、薬品等が容器内に収納され、化粧料、薬品等の塗布用具として用いられるが、その他にも、糊、接着剤、塗料その他粘性液の塗布用具としても利用できる。
【図面の簡単な説明】
【００４２】
【図１】本発明の液塗布用具の一部断面立面図である。
【図２】容器の口部の一部断面立面図である。
【図３】中栓の説明図で、（ａ）は一部断面立面図、（ｂ）は図（ａ）のＡ−Ａ線における切断面図である。
【図４】注出筒の一部断面立面図である。
【図５】刷毛保持体の説明図で、（ａ）は上面図、（ｂ）は図（ａ）のＡ−Ａ線を断面とした一部断面立面図である。
【図６】取付キャップの断面立面図である。
【図７】塗布部材の組立図で、（ａ）は上面図、（ｂ）は断面立面図である。
【図８】塗布部材の上昇時の一部断面立面図である。
【図９】中栓と注出筒に係る第１実施例の説明図で、（ａ）は断面立面図、（ｂ）は図（ａ）のＡ−Ａ線における横断面図である。
【図１０】中栓と注出筒に係る第２実施例の説明図で、（ａ）は断面立面図、（ｂ）は図（ａ）のＡ−Ａ線における横断面図である。
【図１１】中栓と注出筒に係る第３実施例の説明図で、（ａ）は断面立面図、（ｂ）は図（ａ）のＡ−Ａ線における横断面図である。
【図１２】塗布具に係る第４実施例の説明図で、その断面立面図である。
【符号の説明】
【００４３】
Ａ              容器
Ｂ、Ｂａ、Ｂｂ、Ｂｃ  中栓
Ｃ、Ｃａ        塗布部材
Ｄ              オーバーキャップ
１              口部
２              胴部
３              頂壁
４              口筒部
５              開口
６              段部
７              係止環
８              上部縮径部
９              ねじ
１０            フランジ
１１、１１ａ、１１ｂ、１１ｃ  側周壁
１２、１２ａ、１２ｂ、１２ｃ  底壁
１３            係止環
１４、６５      流通孔
１５            係止リング
２０、２０ａ、２０ｂ、２０ｃ、７０  注出筒
２１            刷毛保持体
２２、７３      取付キャップ
２３、２３ａ、２３ｂ、２３ｃ  流出孔
２４、２４ａ、２４ｂ、２４ｃ  筒体
２５            フランジ
２６            突出環
２７            膨出環
２８            刷毛保持部
２９            注出筒保持部
３０            挿入孔
３１            刷毛保持孔
３２            刷毛
３３            膨出環
３４            突出環
３５            上壁
３６            上部側周壁
３７            段部
３８            下部側周壁
３９            刷毛収束筒
４０            膨出環
４１            突出環
４２            縮径部
４３            ねじ筒部
４４            膨出環
４５            ねじ
６０            弁孔
６１            弁体
６２            流通路
６３            枠体
６６、６８      突出環
６７ａ，ｂ      流通孔
７１            塗布具保持体
７２            塗布具
【図１】
2005067627.tif 000003
【図２】
2005067627.tif 000004
【図３】
2005067627.tif 000005
【図４】
2005067627.tif 000006
【図５】
2005067627.tif 000007
【図６】
2005067627.tif 000008
【図７】
2005067627.tif 000009
【図８】
2005067627.tif 000010
【図９】
2005067627.tif 000011
【図１０】
2005067627.tif 000012
【図１１】
2005067627.tif 000013
【図１２】
2005067627.tif 000014